(57)【要約】      （修正有）【課題】表示部の面積を確保しながら、全体の重量バランスを適切にして安定性の高いサインスタンドを提供する。【解決手段】支柱１１の下部に安定用錘２０が底板１０の上に載置されたサインスタンドである。安定用錘２０は支柱１１の下部を支柱１１の両側から挟み付けて互いに連結された一対の水タンク２１からなる。水タンク２１には相手方の水タンク２１とは反対側の面に、表示パネル３１を着脱可能に取り付けるパネル保持面が設けられている。【選択図】図１
0003179896.tif 000002
【実用新案登録請求の範囲】
【請求項１】
支柱の下部に安定用錘を備えたサインスタンドであり、前記安定用錘は前記支柱の下部を支柱の両側から挟み付けて互いに連結された一対の水タンクからなり、前記水タンクには相手方の水タンクとは反対側の面に、表示パネルを着脱可能に取り付けるパネル保持面が設けられていることを特徴とするサインスタンド。
【請求項２】
前記支柱は底板に立設されており、前記各水タンクは前記底板の上面に接して前記支柱を挟むように保持されていることを特徴とする請求項１記載のサインスタンド。
【請求項３】
前記各水タンクには前記パネル保持面とは反対側の面に前記支柱をそれぞれ収容する断面半円形の収容溝が形成され、前記各水タンクには前記収容溝に収容された前記支柱を貫通する取り付けボルトを挿通させる挿通孔が設けられていることを特徴とする請求項１又は請求項２記載のサインスタンド。
【請求項４】
前記水タンクの前記挿通孔の両側には、前記水タンク相互を直接に結合するための補助ボルトを挿通させる補助挿通孔が形成されていることを特徴とする請求項３に記載のサインスタンド。
【請求項５】
前記水タンクの前記パネル保持面及び前記表示パネルは共に円形をなし、前記表示パネルの外周縁部には前記パネル保持面に設けた係合片に対応する切欠部が形成され、前記切欠部を前記係合片に対応させて前記表示パネルを回転させることにより、前記切欠部と前記係合片とが非対応となると共に前記切欠部が前記パネル保持面に設けた回り止め突起に係合することを特徴とする請求項１ないし請求項４のいずれか一項に記載のサインスタンド。
【請求項６】
支柱の上端に、上部パネルを取り付けるパネル取付具が設けられていることを特徴とする請求項１ないし請求項５のいずれか一項に記載のサインスタンド。
【考案の詳細な説明】
【技術分野】
【０００１】
本考案は、いわゆるウオーターウエイトを備えたサインスタンドに関する。
【背景技術】
【０００２】
表示パネルを備えて自立するサインスタンド（立て看板）は、特に屋外に設置される場合には、風等によって倒れないように、重量があるウエイトによって支持脚部を押さえ付けて安定化させる。この場合、ウエイトとして砂袋や鋼鉄製の重りが利用される場合もあるが、例えば特許文献１のように、プラスチックのブロー成型によって製造したタンクに水を入れて安定化用のウエイトとして利用する、いわゆるウオーターウエイトが使用されることがある。
【０００３】
しかしながら、この種のウオーターウエイトは見栄えが良くないから、人の目を惹くようにデザイン化されたサインスタンドには、採用し難いという問題がある。
【０００４】
ウオーターウエイトを支持ポールと一体化してデザイン性を高めたサインスタンドとして、例えば特許文献２に示されるようなものも考えられているが、ここではウオーターウエイトは錘としての機能しかない。このため、上部の表示部の面積を大きくしても、サインスタンドの安定化のためにはウオーターウエイトの体積を大きくしなくてはならず、サインスタンドの全体の中に占める表示部の面積は相対的に減少する。すなわち、表示面積の確保と全体の安定化とはトレードオフの関係にあって、両立させることが難しいという問題があった。
【先行技術文献】
【特許文献】
【０００５】
【特許文献１】特開２００６−２１５３７１公報
【特許文献２】特開２００６−２９３２３１公報
【考案の概要】
【考案が解決しようとする課題】
【０００６】
本考案は上記のような事情に基づいて完成されたものであって、表示部の面積を確保しながら、全体の重量バランスを適切にして安定性の高いサインスタンドを提供することを目的とする。
【課題を解決するための手段】
【０００７】
本考案のサインスタンドは、支柱の下部に安定用錘を備えており、その安定用錘は前記支柱の下部を両側から挟み付けて互いに連結された一対の水タンクからなり、前記水タンクには相手方の水タンクとは反対側の面に、表示パネルを取り付けるパネル保持面が設けられているところに特徴を有する。
【０００８】
各水タンクにはパネル保持面が設けられ、そのパネル保持面に表示パネルを取り付けることができるから、水タンクは安定用錘としての機能と、表示パネルの取付部としての機能を併せて有することになる。換言すれば、サインスタンドの安定化のために必須の安定用錘を利用して表示を行うことができ、表示部の面積が大きくなってより高い安定性が求められる場合には、水タンクの容積を大きくして重量を増大させる設計も可能で、極めて合理的である。
【０００９】
本考案において、支柱の下端部に底板を設け、各水タンクをその底板の上面に接して支柱を挟むように保持する構成とすることが好ましい。サインスタンドの重心が低くなると共に底板によって接地面を広げることができるから、サインスタンドの安定性確保に好適である。
【００１０】
水タンクにはパネル保持面とは反対側の面に支柱をそれぞれ収容する断面半円形の収容溝を形成し、各水タンクには収容溝に収容された支柱を貫通する取り付けボルトを挿通させる挿通孔を設ける構成とすることが好ましい。水タンクが支柱に対して直接的に固定されることになり、水タンクと支柱とのガタツキがなくなってサインスタンドの安定化に寄与する。
【００１１】
さらに水タンクの前記挿通孔の両側には、水タンク相互を直接に結合するための補助ボルトを挿通させる補助挿通孔を形成する構成とすると、水タンク相互がより強固に結合され、より安定性が高まる。
【００１２】
水タンクのパネル保持面及び表示パネルを共に円形に構成し、表示パネルの外周縁部にパネル保持面に設けた係合片に対応する切欠部を形成し、その切欠部を前記係合片に対応させて表示パネルを回転させることにより、切欠部と係合片とが非対応となると共に切欠部がパネル保持面に設けた回り止め突起に係合する構成とすることができる。表示パネルの着脱をワンタッチで行うことができ、表示パネルの交換作業が簡単になる。
【００１３】
また、支柱の上端に、上部パネルを取り付けるパネル取付具を設けるようにすると、水タンクだけでなく、支柱の上部にもパネルを取り付けることができ、表示面積をより増やすことができる。
【考案の効果】
【００１４】
本考案によれば、表示部の面積を確保しながら、全体の重量バランスを適切にして安定性の高いサインスタンドを提供することができる。
【図面の簡単な説明】
【００１５】
【図１】本考案に係るサインスタンドの斜視図
【図２】安定用錘部分の分解斜視図
【図３】安定用錘部分の分解断面図
【図４】安定用錘部分の縦断面図
【図５】同じく横断面図
【図６】表示パネルの取付過程を示す斜視図
【図７】表示パネルの取付過程を示す斜視図
【図８】表示パネルの取付過程を示す斜視図
【図９】表示パネルの取付過程を示す斜視図
【図１０】異なる使用例を示す斜視図
【図１１】支柱の長さを異ならせた実施形態を示す斜視図
【図１２】表示パネルの取付構造を異ならせた実施形態を示す斜視図
【考案を実施するための形態】
【００１６】
本考案の一実施形態を図１ないし図１０によって説明する。
【００１７】
図１に本考案に係る完成形態のサインスタンドを示す。これは例えば自転車用の駐輪場の出入口に設置される用途を想定したものであるが、本考案のサインスタンドはこの用途に限定されるものではない。
【００１８】
底板１０は合成樹脂によって円板状に成形されており、その中心に断面円形の鋼製の支柱１１が立設されている。支柱１１は，図３に示すように、底板１０の裏側に設けた鋼製の宛板１２を通してねじ込んだボルト１３により底板１０に固定されている。支柱１１の上端には、合成樹脂によって中空に形成した上部ボディ１４がボルト１８（図３参照）により固定され、その前後の側面に夜間視認用の円形の反射板１５が貼り付けられている。
【００１９】
なお、図１に示すように、必要に応じて上部ボディ１４の上部にはパネル取付具１６が図示しないボルトにより固定可能であり、そのパネル取付具１６に上部パネル１７をビス留めすることができるようになっている。なお、パネル取付具１６は必要に応じて付加的に設けられるものであり、これを取り付けない場合には、図３及び図４に示すように、上部ボディ１４がボルト１８によって支柱１１に固定される。
【００２０】
さて、支柱１１の下部には安定用錘２０が設けられている。これは支柱１１の下部を両側から挟み付けるように配置される一対の水タンク２１からなる。各水タンク２１は、合成樹脂のブロー成形によって製造した中空の円盤状をなして双方とも同一形状であり、支柱１１側に位置する内側面２１Ａには直径方向に延びて両端が開放する断面半円形の収容溝２２が陥没形成され、ここに支柱１１の縦半分を収容することができる。したがって、２つの水タンク２１の各収容溝２２によって支柱１１を外側から挟むように宛がうと、各水タンク２１の内側面２１Ａが互いに当接するようになる。
【００２１】
水タンク２１の内側面２１Ａとは反対側に位置する外側面２１Ｂには、その中央に凹部２３が陥没形成され、その凹部２３の底部に挿通孔２３Ａが形成されている。一方、支柱１１にも左右に貫通するボルト挿通孔１１Ａが形成されており、水タンク２１の収容溝２２に支柱１１を宛がって水タンク２１が底板１０に接して支えられた状態にすると、水タンク２１の挿通孔２３Ａが支柱１１のボルト挿通孔１１Ａに一致し、ここに取付けボルト２４を貫通させてナット２５を螺合することにより、各水タンク２１を支柱１１を両側から挟み付けた連結状態にして支柱１１に固定できる。
【００２２】
一方、図５に示すように、凹部２３の左右両側には内側面２１Ａ及び外側面２１Ｂの双方から陥没する補助凹部２６が形成されており、その底部に補助挿通孔２６Ａが形成されている。この補助挿通孔２６Ａには補助ボルト２７が貫通され、ナット２８を螺合して両水タンク２１を相互に直接に結合することができる。これにより一対の水タンク２１により支柱１１をより強固に挟み付けることができるようになっている。なお、水タンク２１は外側面２１Ｂの外周寄りに注水口２９を備え、その注水口２９には図示しないキャップが開閉可能に装着される。
【００２３】
水タンク２１の外側面２１Ｂは、外周部に一段と高いリム部３０を有しており、その内側をパネル保持面としている。パネル保持面２１Ｂは円形をなしており、リム部３０の内側に円形の表示パネル３１を収容することができる。リム部３０内に嵌め込まれた表示パネル３１は、例えば４本の係合片４０によってパネル保持面２１Ｂに着脱可能に取り付けられる。
【００２４】
係合片４０は水タンク２１のパネル保持面２１Ｂに対して表示パネル３１の厚さ寸法分のギャップが設けてリム部３０の内側に例えば９０°の角度間隔で設けられている。そして、任意の２本の係合片４０の中間に位置して、回り止め突起４１がリム部３０の内側においてパネル保持面２１Ｂから突出形成されている（図６及び図９にのみ図示）。
【００２５】
一方、表示パネル３１には、係合片４０を挿通可能な切欠部４２が形成され、切欠部４２をいずれかの係合片４０と一致させた方向で表示パネル３１をパネル保持面２１Ｂ上をスライドさせ（図６〜図７参照)、図８に示すように切欠部４２を係合片４０のいずれかと一致させることで、表示パネル３１をリム部３０の内側に嵌め込み、パネル保持面２１Ｂに宛がうことができる。この状態では、表示パネル３１の外周縁部がパネル保持面２１Ｂと係合片４０との間に挟まれて位置し、回り止め突起４１の上に乗り上げた状態にある。その後、表示パネル３１を同図の矢印方向に回転させると、切欠部４２が回り止め突起４１と遭遇するようになり、切欠部４２内に回り止め突起４１が嵌合して表示パネル３１の回り止めが行われる。
【００２６】
なお、各表示パネル３１には、例えば「駐輪場」の文字と自転車のイラストが描かれており、このサインスタンドが設置された場所が駐輪場であることを表示している。
【００２７】
この実施形態のサインスタンドを設置するには、各水タンク２１に注水口２９から水を充填し、注水口２９をキャップで閉めた上で、支柱１１の下部にこれを挟み付けるようにして取り付ける。すなわち、支柱１１の両側から水タンク２１を宛がい、収容溝２２内に支柱１１を収容して２つの水タンク２１で支柱１１を挟む。そして、取付けボルト２４、補助ボルト２７を挿通させてナット２５，２８で締め付ければ、両水タンク２１が支柱１１に固定される。その後、表示パネル３１を水タンク２１のパネル保持面２１Ｂに装着してビス留めすれば、キャップやボルト２４，２７等が表示パネル３１によって隠され、デザイン的にすっきりしたサインスタンドとして利用される。また、注水口２９のキャップは表示パネル３１によって覆い隠されるから、キャップが不用意に外れたり、いたずらによって水を抜かれてしまうおそれもない。
【００２８】
このように本実施形態によれば、水タンク２１にはパネル保持面２１Ｂが設けられ、そのパネル保持面２１Ｂに表示パネル３１を取り付ける構成であるから、２つの水タンク２１は安定用錘２０としての機能と、表示パネル３１の取付部としての機能を併せて有することになる。このため、サインスタンドの安定化のために必須の安定用錘２０を利用して表示を行うことができ、表示パネル３１を大型にしてより高い安定性が求められる場合には、水タンク２１の容積ひいてはその重量を増大させる設計が可能であり、安定性の高いサインスタンドとすることができる。
【００２９】
また、本実施形態では、支柱１１の下端部に底板１０を設け、各水タンク２１をその底板１０の上面に接して支柱１１を挟むように保持する構成としたから、サインスタンドの重心が低くなると共に底板１０によって接地面を広げることができるから、サインスタンドの安定性確保に好適である。また、サインスタンドの設置場所を移動しようとする場合には、支柱１１を持ってサインスタンドを引き上げればよく、そのようにしても重量のある水タンク２１が支柱１１に支えられるから、水タンク２１が下にずり落ちるおそれもない。
【００３０】
さらには、本実施形態では、水タンク２１にはパネル保持面２１Ｂとは反対側の内側面２１Ａに収容溝２２を形成し、支柱１１を貫通する取り付けボルト２４により水タンク２１と支柱１１とを固定したから、水タンク２１と支柱１１とのガタツキや回りが発生せず、サインスタンドを安定的に設置できる。加えて、その取付けボルト２４の両側には、水タンク２１相互を直接に結合するための補助ボルト２７を挿通させるようにしたから、水タンク２１相互が開くことなくより強固に直接に結合され、より安定性が高まる。
【００３１】
＜他の実施形態＞
本考案は上記記述及び図面によって説明した実施形態に限定されるものではなく、例えば次のような実施形態も本考案の技術的範囲に含まれる。
【００３２】
（１）上記実施形態では１本だけのサインスタンドを使う例を示したが、例えば図１０に示すように、複数本のサインスタンドを並べて配置し、各サインスタンドの支柱１１の上端に位置する上部ボディ１４間にチェーン５０を張り渡して領域を区切るような使い方をしてもよい。
【００３３】
（２）図１１は支柱１１（図１１には表されていない）の長さ寸法を水タンク２１の直径程度にした低背形の例を示し、サインスタンドの高さ寸法を低くして安定的に設置することを重視した使用例である。その他、表示パネル３１の表示内容は適宜変更できることはもちろんである。
（３）上記実施形態では、表示パネル３１を水タンク２１のパネル保持面２１Ｂに係合片４０を利用してワンタッチで取り付けるようにしたが、これに限らず、図１２に示す構造のように表示パネル３１をビス４５によって水タンク２１に着脱可能に固定してもよい。
【符号の説明】
【００３４】
１０…底板  １１…支柱  １６…パネル取付具  １７…上部パネル  ２０…安定用錘  ２１…水タンク  ２１Ｂ…パネル保持面  ２２…収容溝  ２３Ａ…挿通孔  ２４…取付けボルト  ２６Ａ…補助挿通孔  ２７…補助ボルト  ３１…表示パネル  ４０…係合片  ４２…切欠部  ４１…回り止め突起
【図１】
0003179896.tif 000003
【図２】
0003179896.tif 000004
【図３】
0003179896.tif 000005
【図４】
0003179896.tif 000006
【図５】
0003179896.tif 000007
【図６】
0003179896.tif 000008
【図７】
0003179896.tif 000009
【図８】
0003179896.tif 000010
【図９】
0003179896.tif 000011
【図１０】
0003179896.tif 000012
【図１１】
0003179896.tif 000013
【図１２】
0003179896.tif 000014